(57)【要約】【課題】梱包容積の縮小に寄与できて輸送・配送の利便性をさらに高めるようにする。【解決手段】ヘッドボード付ベッド１は、ヘッドボード２、左右一対のサイドフレーム３、４、フットフレーム５及び床板（図示せず）を相互に分離可能に連結して構成されるものであり、特に、前記ヘッドボード２を、細長状のヘッドボード単位部材２Ａ、２Ｂ、２Ｃを分離可能に連結して構成し、前記各サイドフレーム３、４を、複数のサイドフレーム単位部材３Ａ、３Ｂ、４Ａ、４Ｂを分離可能に連結して構成し、前記図示しない床板を複数の床板単位部材から構成している。【選択図】図１
2007167543.tif 000002
【特許請求の範囲】
【請求項１】
ヘッドボード、左右一対のサイドフレーム、フットフレーム及び床板を相互に分離可能に連結して構成されるヘッドボード付ベッドであって、
前記ヘッドボードを、細長状のヘッドボード単位部材を分離可能に連結して構成し、
前記各サイドフレームを、複数のサイドフレーム単位部材を分離可能に連結して構成し、
前記床板を複数の床板単位部材から構成したことを特徴とするヘッドボード付ベッド。
【請求項２】
前記ヘッドボード単位部材と前記フットフレームとは同じ大きさ・形状に形成されていることを特徴とする請求項１記載のヘッドボード付ベッド。
【請求項３】
前記床板は、３つ以上の床板単位部材から構成されていることを特徴とする請求項１又は２に記載のヘッドボード付ベッド。
【請求項４】
左右一対のヘッドボード用支柱と、左右一対のフットフレーム用支柱とを備え、
前記複数のヘッドボード単位部材の各両端を、前記左右一対のヘッドボード用支柱に分離可能に連結することによりヘッドボードを構成し、
前記左右一対のサイドフレームの各一端部は前記左右一対のヘッドボード用支柱に分離可能に連結され、且つ該左右一対のサイドフレームの各他端部は前記左右一対の各フットフレーム用支柱を介してフットフレームの両端部に分離可能に連結されていることを特徴とする請求項１ないし３のいずれかに記載のヘッドボード付ベッド。
【請求項５】
前記複数のヘッドボード単位部材及びフットフレームは、板状をなし、且つ一面側に凹状部を有し、この凹状部の長さ・幅寸法は、前記ヘッドボード用支柱及び前記フットフレーム用支柱の長さ・幅寸法より長く、且つ該凹状部の深さ寸法は、前記ヘッドボード用支柱及び前記フットフレーム用支柱の厚さ寸法の１／２以上であることを特徴とする請求項４記載のヘッドボード付ベッド。
【発明の詳細な説明】
【技術分野】
【０００１】
本発明は、分解可能なヘッドボード付ベッドに関する。
【背景技術】
【０００２】
従来、分解可能なベッドにおいては、分解不能なベッドに比して、梱包容積が小さく、輸送・配送の点で利便性が高い。このような分解可能なベッドとして、ヘッドボードを備えたベッドがある（例えば特許文献１）。
【特許文献１】特開２００２−３３６０８４号公報
【発明の開示】
【発明が解決しようとする課題】
【０００３】
上記従来のものでは、梱包容積がヘッドボードに制約されてしまい、さほど梱包容積が小さくならないといった問題があった。
本発明は上記事情に鑑みてなされたものであり、その目的は、梱包容積の縮小に寄与できて輸送・配送の利便性をさらに高めることができるヘッドボード付ベッドを提供することにある。
【課題を解決するための手段】
【０００４】
上記目的を達成するために、請求項１の発明は、ヘッドボード、左右一対のサイドフレーム、フットフレーム及び床板を相互に分離可能に連結して構成されるヘッドボード付ベッドであって、前記ヘッドボードを、細長状のヘッドボード単位部材を分離可能に連結して構成し、前記各サイドフレームを、複数のサイドフレーム単位部材を分離可能に連結して構成し、前記床板を複数の床板単位部材から構成したものである。
【０００５】
この請求項１の発明によれば、前記各サイドフレームを、複数のサイドフレーム単位部材を分離可能に連結して構成し、前記床板も複数の床板単位部材から構成し、さらに、前記ヘッドボードを、細長状のヘッドボード単位部材を分離可能に連結して構成したから、サイドフレーム、床板、ヘッドボードをそれぞれ分解でき、この場合フットフレームはもともと小さく、従って、ベッド全体の梱包容積を、ヘッドボードに制約されずに縮小することができる。この結果、輸送・配送の利便性をさらに高めることができる。
【０００６】
また、請求項２の発明は、前記ヘッドボード単位部材と前記フットフレームとは同じ大きさ・形状に形成されているところに特徴を有する。これによれば、部品種類を減少できて、製作性の向上を図ることができる。
また、請求項３の発明は、前記床板を、３つ以上の床板単位部材から構成したところに特徴を有する。これによれば、ベッド全体の梱包容積の梱包容積のさらなる縮小を図ることができる。
【０００７】
また、請求項４の発明は、左右一対のヘッドボード用支柱と、左右一対のフットフレーム用支柱とを備え、前記複数のヘッドボード単位部材の各両端を、前記左右一対のヘッドボード用支柱に分離可能に連結することによりヘッドボードを構成し、前記左右一対のサイドフレームの各一端部は前記左右一対のヘッドボード用支柱に分離可能に連結され、且つ該左右一対のサイドフレームの各他端部は前記左右一対の各フットフレーム用支柱を介してフットフレームの両端部に分離可能に連結されているところに特徴を有する。
【０００８】
これによれば、前記複数のヘッドボード単位部材の各両端を、前記左右一対のヘッドボード用支柱に分離可能に連結することによりヘッドボードを構成するから、ヘッドボード単位部材の連結強度が強く、堅牢なヘッドボードとなり、しかも、このヘッドボード、前記左右一対のサイドフレーム、フットフレームは、ヘッドボード用支柱及びフットフレーム用支柱を介して連結されるから全体連結強度も強い。
【０００９】
また、請求項５の発明は、前記複数のヘッドボード単位部材及びフットフレームが、板状をなし、且つ一面側に凹状部を有し、この凹状部の長さ・幅寸法が、前記ヘッドボード用支柱及び前記フットフレーム用支柱の長さ・幅寸法より長く、且つ該凹状部の深さ寸法が、前記ヘッドボード用支柱及び前記フットフレーム用支柱の厚さ寸法の１／２以上であるところに特徴を有する。これによれば、前記複数のヘッドボード単位部材同士を、あるいはヘッドボード単位部材とフットフレームとを、その凹部同士が向かい合うように重ねると、ヘッドボード用支柱及び前記フットフレーム用支柱の大きさ以上の空間部が形成されることになり、これら積み重ねた状態のヘッドボード単位部材あるいは前記フットフレームの内部にヘッドボード用支柱及び前記フットフレーム用支柱を収納することができ、梱包容積をさらに縮小できる。
【発明の効果】
【００１０】
本発明によれば、梱包容積の縮小に寄与できて輸送・配送の利便性をさらに高めることができる。
【発明を実施するための最良の形態】
【００１１】
以下、本発明の一実施例について図面を参照して説明する。図２には、ヘッドボード付ベッド１の組立状態を示している。図１には床板を省略した組立状態を示し、また、図３には、床板を省略した分離状態を示している。これら図１ないし図３において、ヘッドボード付ベッド１は、ヘッドボード２、左右一対のサイドフレーム３、４、フットフレーム５、床板６、左右一対のヘッドボード用支柱７、８と、左右一対のフットフレーム用支柱９、１０を主たる構成部材として備えている。これら主たる構成部材を、相互に分離可能に連結してヘッドボード付ベッド１が構成されている。
【００１２】
前記ヘッドボード２は、細長状例えば細長矩形板状をなす複数の木製のヘッドボード単位部材２Ａ、２Ｂ、２Ｃを、後述するように分離可能に連結して構成されている。各ヘッドボード単位部材２Ａ、２Ｂ、２Ｃは、同一構成であり、図４及び図５からも判るように、一面側（裏面側）に凹状部２ａを有する。
この凹状部２ａの長さ寸法Ｌａ及び幅寸法Ｌｂ（図５及び図１１参照）は、前記ヘッドボード用支柱７、８の長さ寸法（高さ寸法）Ｌｄ及び幅寸法Ｌｅ（図５参照）より長く、また、前記フットフレーム用支柱９、１０の長さ寸法（高さ寸法）Ｌｇ及び幅寸法Ｌｈ（図６参照）より長く設定されている。さらに、該凹状部２ａの深さ寸法Ｌｃ（図５及び図１１参照）は、前記ヘッドボード用支柱７、８の厚さ寸法Ｌｆ（図５参照）及び前記フットフレーム用支柱９、１０の厚さ寸法Ｌｉ（図６参照）の１／２以上に設定されている。
【００１３】
前記各ヘッドボード単位部材２Ａ、２Ｂ、２Ｃの各両端を、図３及び図５に示すダボ１１及びねじ１２により前記左右一対のヘッドボード用支柱７、８に分離可能に連結することによりヘッドボード２を構成している。
前記サイドフレーム３は、図７〜図９に示すように、複数この場合２つのサイドフレーム単位部材３Ａ、３Ｂを分離可能に連結して構成されている。その連結は、ダボ１３とカムロック１４とにより行なわれている。カムロック１４は、サイドフレーム単位部材３Ａの端面３ａにねじ込んだ被ロック部材１４ａと、サイドフレーム単位部材３Ａの内側面からねじ込んだカム１４ｂとから構成されており、このカム１４ｂをねじ込むことにより被ロック部材１４ａがロックされるようになっている。
【００１４】
また、このサイドフレーム単位部材３Ａの後端部３ｂの内面には、図４に示すように、フック部材たる連結金具１５が取り付けられており、この連結金具１５にはほぼ直角に延びる上下二つの引っ掛け凹部１５ａ、１５ａが形成されている。この引っ掛け凹部１５ａ、１５ａが前記ヘッドボード用支柱７にねじ込まれたねじ１６、１６に引っ掛けられることにより、該サイドフレーム単位部材３Ａが前記ヘッドボード用支柱７に連結されている。さらに、このサイドフレーム単位部材３Ａの下端部ほぼ中央には長尺で高さの低い脚部１７が取着されている。また、このサイドフレーム単位部材３Ａの内面には床板支持部１８が取着されている。
【００１５】
また、図６に示すように、他のサイドフレーム単位部材３Ｂの前端部の内面にもフック部材たる連結金具１９が取り付けられており、この連結金具１９にはほぼ直角に延びる上下二つの引っ掛け凹部１９ａ、１９ａが形成されている。この引っ掛け凹部１９ａ、１９ａが前記フットフレーム用支柱９にねじ込まれたねじ２０、２０に引っ掛けられることにより、該サイドフレーム単位部材３Ｂが前記フットフレーム用支柱９に連結されている。さらに、このサイドフレーム単位部材３Ｂの下端部ほぼ中央にも長尺で高さの低い脚部２１が取着されている。また、このサイドフレーム単位部材３Ｂの内面には床板支持部２２が取着されている。
【００１６】
右側のサイドフレーム４のサイドフレーム単位部材４Ａは、前記サイドフレーム単位部材３Ａとは左右対称形状であり、また左側のサイドフレーム４のサイドフレーム単位部材４Ｂは、サイドフレーム単位部材３Ｂとは左右対称形状である。
前記床板６は、図２に示すように、複数例えば３つの床板単位部材６Ａ、６Ｂ、６Ｃから構成されている。
前記フットフレーム５は、前記ヘッドボード単位部材２Ａ〜２Ｃと同じ大きさ・形状に形成されており、前記凹状部２ａと同じ大きさ・形状の凹状部５ａを有する。そして、このフットフレーム５の両端は前記ヘッドボード単位部材２Ａ〜２Ｃと同様にダボ１１とねじ１２とにより前記フットフレーム用支柱９、１０に分離可能に連結されるようになっている。
なお、前記サイドフレーム３、４間には、例えば鋼製線材からなる拡開防止部材２３が架設されるようになっている。この拡開防止部材２３は、サイドフレーム３、４間の拡開を防止するものである。
【００１７】
本実施例のヘッドボード付ベッド１は、上述したように、ヘッドボード２を、ヘッドボード単位部材２Ａ、２Ｂ、２Ｃの両端をヘッドボード用支柱７、８に分離可能に連結して構成し、サイドフレーム３を、サイドフレーム単位部材３Ａ、３Ｂを分離可能に連結して構成し、サイドフレーム４を、サイドフレーム単位部材４Ａ、４Ｂを分離可能に連結して構成し、これら左右一対のサイドフレーム３、４の各一端部は前記左右一対のヘッドボード用支柱７、８に分離可能に連結し、且つ該左右一対のサイドフレーム３、４の各他端部は前記左右一対の各フットフレーム用支柱９、１０を介してフットフレーム５の両端部に分離可能に連結することにより、図１の組立状態が得られる。
【００１８】
この図１の状態から前記サイドフレーム３、４間に、拡開防止部材２３を架設し、そして、３つの床板単位部材６Ａ、６Ｂ、６Ｃを、床板支持部１８、１８間に並べて架設することにより、図２に示すヘッドボード付ベッド１の組立完成状態が得られる。
上記構成において、ヘッドボード付ベッド１を梱包する場合、図１０、図１１に示すように、ヘッドボード単位部材２Ａ、２Ｂ、２Ｃ、及びフットフレーム５を、積層する。この場合、ヘッドボード単位部材２Ａ、２Ｂ同士の凹状部２ａ、２ａが向かい合う状態に積層し、ヘッドボード単位部材２Ｃ、フットフレーム５同士の凹状部２ａ、５ａが向かい合う状態に積層する。これにより、ヘッドボード単位部材２Ａ、２Ｂ間に大きな空間部が形成され、ヘッドボード単位部材２Ｃ、フットフレーム５間に大きな空間部が形成される。
【００１９】
この場合、前記凹状部２ａの長さ寸法Ｌａ及び幅寸法Ｌｂが、前記ヘッドボード用支柱７、８の長さ寸法（高さ寸法）Ｌｄ及び幅寸法Ｌｅより長く、また、前記フットフレーム用支柱９、１０の長さ寸法（高さ寸法）Ｌｇ及び幅寸法Ｌｈより長く設定され、さらに、該凹状部２ａの深さ寸法Ｌｃが、前記ヘッドボード用支柱７、８の厚さ寸法Ｌｆ及び前記フットフレーム用支柱９、１０の厚さ寸法Ｌｉの１／２以上に設定されているから、前記各空間部は、ヘッドボード用支柱７、８及びフットフレーム用支柱９、１０の大きさよりも大きな空間部となる。この空間部にヘッドボード用支柱７、８及びフットフレーム用支柱９、１０を収納する。
【００２０】
さらに、サイドフレーム単位部材３Ａ、３Ｂ、４Ａ、４Ｂを積み重ね、また床板単位部材６Ａ、６Ｂ、６Ｃを積み重ね、これらを個別に、あるいは一つに梱包する。この場合、ヘッドボード用支柱７、８及びフットフレーム用支柱９、１０は、それらのうち、いずれか２部材と、他の２部材とを別々の空間部に収納しても良いし、凹状部２ａ、５ａの深さ寸法が、ヘッドボード用支柱７、８及びフットフレーム用支柱９、１０の厚み寸法よりも長い場合には、凹状部２ａ、５ａを向かい合わせせずに、順次積み重ね、各凹状部２ａ、５ａに各支柱７、８、９、１０を個別に収納しても良い。
【００２１】
このように本実施例によれば、前記各サイドフレーム３を、複数のサイドフレーム単位部材３Ａ及び３Ｂを分離可能に連結して構成し、サイドフレーム４を、複数のサイドフレーム単位部材４Ａ及び４Ｂを分離可能に連結して構成し、前記床板６も複数の床板単位部材６Ａ、６Ｂ、６Ｃから構成し、さらに、前記ヘッドボード２を、細長状のヘッドボード単位部材２Ａ、２Ｂ、２Ｃを分離可能に連結して構成したから、サイドフレーム３、４、床板６、ヘッドボード２をそれぞれ分解でき、この場合フットフレーム５はもともと小さく、従って、ベッド全体の梱包容積を、ヘッドボード２に制約されずに縮小することができる。この結果、輸送・配送の利便性をさらに高めることができる。
【００２２】
また、本実施例によれば、前記ヘッドボード単位部材２Ａ、２Ｂ、２Ｃと前記フットフレーム５とを同じ大きさ・形状に形成したから、部品種類を減少できて、製作性の向上を図ることができる。
また、本実施例によれば、前記床板６を、３つの床板単位部材６Ａ、６Ｂ、６Ｃから構成したから、ベッド全体の梱包容積の梱包容積のさらなる縮小を図ることができる。この場合、床板単位部材は３つに限られずそれ以上であれば梱包容積の縮小にさらに寄与できるものである。また床板単位部材は相互に連結するようにしても良い。
【００２３】
また、本実施例では、左右一対のヘッドボード用支柱７、８と、左右一対のフットフレーム用支柱９、１０とを備え、複数のヘッドボード単位部材２Ａ、２Ｂ、２Ｃの各両端を、前記左右一対のヘッドボード用支柱７、８に分離可能に連結することによりヘッドボード２を構成し、前記左右一対のサイドフレーム３、４の各一端部は前記左右一対のヘッドボード用支柱７、８に分離可能に連結し、且つ該左右一対のサイドフレーム３、４の各他端部は前記左右一対の各フットフレーム用支柱９、１０を介してフットフレーム５の両端部に分離可能に連結した。これによれば、複数のヘッドボード単位部材２Ａ、２Ｂ、２Ｃの各両端を、前記左右一対のヘッドボード用支柱７、８に分離可能に連結することによりヘッドボード２を構成するから、ヘッドボード単位部材２Ａ、２Ｂ、２Ｃの連結強度が強く、堅牢なヘッドボード２となり、しかも、このヘッドボード２、前記左右一対のサイドフレーム３、４、フットフレーム５は、ヘッドボード用支柱７、８及びフットフレーム用支柱９、１０を介して連結されるから全体連結強度も強い。
【００２４】
また、本実施例では、複数のヘッドボード単位部材２Ａ、２Ｂ、２Ｃ及びフットフレーム５が、板状をなし、且つ一面側に凹状部２ａ、５ａを有し、この凹状部２ａ、５ａの長さ・幅寸法が、ヘッドボード用支柱７、８及び前記フットフレーム用支柱９、１０の長さ・幅寸法より長く、且つ該凹状部２ａ、５ａの深さ寸法が、前記ヘッドボード用支柱７、８及び前記フットフレーム用支柱９、１０の厚さ寸法の１／２以上となるように構成した。これによれば、前記複数のヘッドボード単位部材２Ａ、２Ｂ同士を、あるいはヘッドボード単位部材２Ｃとフットフレーム５とを、その凹部同士が向かい合うように重ねると、ヘッドボード用支柱７、８及び前記フットフレーム用支柱９、１０の大きさ以上の空間部が形成されることになり、これら積み重ねた状態のヘッドボード単位部材２Ａ、２Ｂ、２Ｃ及び前記フットフレーム５の内部にヘッドボード用支柱７、８及び前記フットフレーム用支柱９、１０を収納することができ、梱包容積をさらに縮小できる。
【００２５】
本発明の実施例は、上記した実施例に限定されるものではなく、例えば、各主要構成部材を連結するための連結手段については、適宜変更して実施できる。また、拡開防止部材は、省略しても良い。この場合、床板単位部材を床板支持部に係合し得るように構成してサイドフレーム間の拡開を防止するようにしても良い。
【図面の簡単な説明】
【００２６】
【図１】本発明の一実施例を示し、床板を省略した組立状態の斜視図
【図２】組立完成状態の斜視図
【図３】分離状態の斜視図
【図４】ヘッドボード用支柱部分の分離状態の斜視図
【図５】ヘッドボード単位部材とヘッドボード用支柱との分離状態を裏側から示す斜視図
【図６】フットフレーム用支柱部分の分離状態の斜視図
【図７】サイドフレーム単位部材の連結前の状態を示す斜視図
【図８】同連結途中状態の斜視図
【図９】連結後の状態の斜視図
【図１０】梱包を説明するための斜視図
【図１１】ヘッドボード単位部材の積層の仕方の一例を示す斜視図
【符号の説明】
【００２７】
図面中、１はヘッドボード付ベッド、２はヘッドボード、２Ａ、２Ｂ、２Ｃはヘッドボード単位部材、３、４はサイドフレーム、３Ａ、３Ｂ、４Ａ、４Ｂはサイドフレーム単位部材、５はフットフレーム、６は床板、６Ａ、６Ｂ、６Ｃは床板単位部材、７、８はヘッドボード用支柱、９、１０はフットフレーム用支柱を示す。
【図１】
2007167543.tif 000003
【図２】
2007167543.tif 000004
【図３】
2007167543.tif 000005
【図４】
2007167543.tif 000006
【図５】
2007167543.tif 000007
【図６】
2007167543.tif 000008
【図７】
2007167543.tif 000009
【図８】
2007167543.tif 000010
【図９】
2007167543.tif 000011
【図１０】
2007167543.tif 000012
【図１１】
2007167543.tif 000013